(57)【特許請求の範囲】
【請求項１】
上端部に開口を有するカップ状の容器本体と、
前記上端部の外周に着脱自在に装着されるリング状の固定部材を備える植栽容器であって、
第一フランジ部を、前記容器本体の上部の外周に設けるとともに、
前記固定部材を前記上端部の外周に装着した際に前記第一フランジ部に対向する第二フランジ部を、前記固定部材の一方の端部の外周に設けたことを特徴とする植栽容器。
【請求項２】
前記容器本体のうち、前記第一フランジ部よりも上方に位置する外周面に雄ネジを設けるとともに、
前記固定部材の内周面に前記雄ネジと螺合する雌ネジを設けたことを特徴とする請求項１に記載の植栽容器。
【請求項３】
前記容器本体の側面に、
通気孔を設けたことを特徴とする請求項１または請求項２に記載の植栽容器。
【請求項４】
前記固定部材の他方の端部に係止部材を設けたことを特徴とする請求項１から請求項３のいずれか一項に記載の植栽容器。
【請求項５】
前記第一フランジ部または／および前記第二フランジ部が、
外周の全周に渡って環状に形成されていることを特徴とする請求項１から請求項４のいずれか一項に記載の植栽容器。
【請求項６】
正面に複数の挿入口を設けるとともに、植栽部と通気部を設けた本体部と、
通風手段と、
請求項１から請求項５のいずれか一項に記載の植栽容器を備えた空気清浄緑化装置であって、
前記挿入口の開口の大きさは、
前記第一フランジ部よりも上方に位置する容器本体よりも大きく、かつ前記第一フランジ部および前記第二フランジ部よりも小さいものであり、
前記容器本体は、
前記第一フランジ部よりも上方に位置する外周面が前記本体部の内側から突出した状態で挿入されており、
前記固定部材は、
前記本体部の外側から前記外周面に装着されているものであることを特徴とする空気清浄緑化装置。
【発明の詳細な説明】
【技術分野】
【０００１】
本発明は、緑化設備（特に壁面緑化設備）に用いる植栽容器に関するものである。詳しくは、使用時に緑化設備の本体部（筐体）と植栽容器との隙間から空気漏れや水漏れなどを起こすことなく、密閉性を確保して本体部（筐体）に設置することができる植栽容器に関するものである。特に、空気清浄緑化装置に用いた場合には、従前の空気清浄緑化装置に比べて清浄効率を向上させることができる植栽容器に関するものである。
また、この植栽容器を用いた空気清浄緑化装置に関するものである。
【背景技術】
【０００２】
緑化設備（特に壁面緑化設備）において植物を植栽する方法としては、フェルトや不織布などのシート材をマット状にして壁面に施工するとともに、マットの一部を突出させてポケット部を作製し、係るポケット部を植栽容器として用いる方法（特許文献１）と、プラスチックなどで作製した筒状の植栽容器を壁面に施工する方法（特許文献２、特許文献３、非特許文献１）の２つの方法に大きく分類される。
【先行技術文献】
【特許文献】
【０００３】
【特許文献１】特開２０１５−２９４２５号公報
【特許文献２】特開２００６−２０６２１号公報
【特許文献３】特開２０１１−１６７１３７号公報
【非特許文献１】株式会社伊藤商事、“ジョイントパネルを使用したカセット式壁面緑化システム”、［online］、[平成２８年５月４日検索]、インターネット＜ＵＲＬ：http://www.itoshoji.co.jp/greenwall/index.html＞
【発明の概要】
【発明が解決しようとする課題】
【０００４】
ここで、緑化設備の中でも壁面タイプの緑化設備（壁面緑化設備）においては、平面タイプの緑化設備に比べて水勾配が大きくなることから、植栽の土壌や基盤に水を供給した際に緑化設備の本体部（筐体）と植栽部との隙間から水漏れなどを起こす恐れがあり、本体部（筐体）と植栽部との間の密閉性を確保することが重要となる。
また、緑化に加えて、土壌や基盤部に空気を通過させることによって空気の清浄も行う緑化設備（空気清浄緑化装置）においては、清浄効率に影響を与えることから、水漏れだけでなく空気漏れを起こすことがないように、壁面タイプ、平面タイプを問わず、本体部（筐体）と植栽部との間の密閉性を確保することが重要となる。
このように緑化設備においては、植栽の土壌や基盤に水や空気を効率的に供給することが要求される場合があることから、緑化設備の本体部（筐体）と植栽部との間の密閉性を確保することが重要となる。
【０００５】
ここで、マット状の一部を突出させたポケット部を植栽容器として用いる方法に関しては、既に本願出願人において、通気箇所のムラの発生を防止して密閉性を確保することを目的とした技術を特許文献１に示すとおり開発している（特許文献１の［００１５］など参照）。
【０００６】
一方、筒状の植栽容器を壁面に施工する方法に関しては、まず、非特許文献１に示すような籠状の植栽容器を用いるものが挙げられる。しかしながら、非特許文献１の植栽容器は本体部（筐体）と植栽部の隙間が多く、密閉性に関しては課題を有したものとなっている。なお、非特許文献１に示す植栽容器については密閉性を確保する手段としてビス止めやシール材を用いて隙間を埋める手段を採用することもできるが、係る手段を採用した場合には今度はビス止めのために設けたビス孔の密閉性を確保するための対策やシール材の施工作業などが追加されることになり、施工性（作業性）が低下するという課題がある。また、ビス止めやシール材を用いた場合には、ビスやシール材の経年劣化によってビス止め部分やシール部分の密閉性が低下するという課題もある。
【０００７】
また、筒状の植栽容器を壁面に施工する方法に関しては、特許文献２、３のように複数の筒状の植栽容器をトレー状に一体成型加工した基盤体を用いるものも挙げられる。このようないわゆる一体成型タイプの植栽容器は、緑化設備の本体部（筐体）と植栽部との隙間から空気漏れや水漏れなどを起こすことがなく、密閉性を確保することができるという利点がある。
しかしながら、係る形態は、密閉性においては優れているものの、一体成型タイプであるが故にトレー上に配置される植栽容器の数が決まってしまうことから、植栽容器の数の増減を行う場合には新たに金型を作製し直さなければならないという課題がある。
また、係る形態は、一体成型タイプであるが故に、施工後の強度（特に、骨組みと基盤体との間の強度）を確保するために構造が複雑になったり、重量が重くなったりするという課題がある。従って、一体成型タイプの植栽容器は軽量化を図るためにプラスチック材料によって作製されるのが一般的となっている。
ここで、緑化設備の中でも空気の清浄も行う空気清浄緑化装置においては、空気の清浄を行うための浄化剤や土壌が本体部（筐体）内に充填された構造となっており、清浄効率を向上させるために浄化剤や土壌はある程度の圧を持つように充填される（詰め込まれる）こととなる。
従って、プラスチック材料によって作製されるのが一般的な一体成型タイプの植栽容器を空気清浄緑化装置に用いた場合には、充填される浄化剤や土壌の圧によって歪みや変形を生じてしまい、空気漏れを起こしてしまう（清浄効率が低下してしまう）という課題がある。また、充填される浄化剤や土壌の圧による歪みや変形を防止しようとすると肉厚を厚くしなければならなくなり、軽量化が図れなくなってしまうという課題もある。
【０００８】
本発明は、上記した従来の問題点に鑑みてなされたものであって、使用時に緑化設備の本体部（筐体）と植栽容器との隙間から空気漏れや水漏れなどを起こすことなく、密閉性を確保して本体部（筐体）に設置することができる植栽容器の提供を目的とするものである。特に、空気清浄緑化装置に用いた場合には、従前の空気清浄緑化装置に比べて清浄効率を向上させることができる植栽容器の提供を目的とするものである。
また、この植栽容器を用いた空気清浄緑化装置の提供を目的とするものである。
【課題を解決するための手段】
【０００９】
上記目的を達成するために、本発明の請求項１に係る植栽容器は、上端部に開口を有するカップ状の容器本体と、上端部の外周に着脱自在に装着されるリング状の固定部材を備える植栽容器であって、第一フランジ部を、容器本体の上部の外周に設けるとともに、固定部材を上端部の外周に装着した際に第一フランジ部に対向する第二フランジ部を、固定部材の一方の端部の外周に設けたことを特徴とする。
【００１０】
本発明の請求項２に係る植栽容器は、容器本体のうち、第一フランジ部よりも上方に位置する外周面に雄ネジを設けるとともに、固定部材の内周面に雄ネジと螺合する雌ネジを設けたことを特徴とする。
【００１１】
本発明の請求項３に係る植栽容器は、容器本体の側面に、通気孔を設けたことを特徴とする。
【００１２】
本発明の請求項４に係る植栽容器は、固定部材の他方の端部に係止部材を設けたことを特徴とする。
【００１３】
本発明の請求項５に係る植栽容器は、第一フランジ部または／および第二フランジ部が、外周の全周に渡って環状に形成されていることを特徴とする。
【００１４】
本発明の請求項６に係る空気清浄緑化装置は、正面に複数の挿入口を設けるとともに、植栽部と通気部を設けた本体部と、通風手段と、請求項１から請求項５のいずれか一項に記載の植栽容器を備えた空気清浄緑化装置であって、挿入口の開口の大きさは、第一フランジ部よりも上方に位置する容器本体よりも大きく、かつ第一フランジ部および前記第二フランジ部よりも小さいものであり、容器本体は、第一フランジ部よりも上方に位置する外周面が本体部の内側から突出した状態で挿入されており、固定部材は、本体部の外側から外周面に装着されているものであることを特徴とする。
【発明の効果】
【００１５】
本発明の植栽容器によれば、特定の形態を有する容器本体と固定部材を備えることによって、使用時に緑化設備の本体部（筐体）と植栽容器との隙間から空気漏れや水漏れなどを起こすことなく、密閉性を確保して本体部（筐体）に設置することができる植栽容器を得ることができる。
また、従前の植栽容器のようなビス孔やシール材等の加工を行うことなく密閉性を確保することができ、ビス孔やシール材の塗布などの現場での施工作業を省力化することができる。さらに、ビスやシール材を使用した場合に懸念される、ビスやシール材の経年劣化による密閉性の低下の問題を解消することができる。
【００１６】
また、本発明の空気清浄緑化装置によれば、本発明の植栽容器を用いているので、密閉性を確保する（使用時の空気漏れを防止する）ことができ、その結果、清浄効率を向上させることができる。
【００１７】
本発明の請求項２に係る植栽容器によれば、容器本体と固定部材を螺合するという簡単な方法で植栽容器の設置を行うことができることから、密閉性を確保しつつ、施工性（作業性）をより向上させることができる。
【００１８】
本発明の請求項３に係る植栽容器によれば、容器本体の側面に通気孔を設けているので、植栽容器を通じて取り込んだ空気の緑化設備内における通過距離を長くする、すなわち、通風手段によって植栽容器内の土壌を通じて空気清浄緑化装置内の植栽部に空気を吸引した際に、植栽部における空気の通過距離を長くとることができることになり、空気の清浄効率をより向上させることができる。
【００１９】
本発明の請求項４に係る植栽容器によれば、固定部材の他方の端部に係止部材を設けることによって、植物を植栽ポットなどから取り出して植栽容器１内に植え替えて、次にその上にフェルトやネットなどの押え部材を被せた状態で、当該係止部材に輪ゴムやビニタイなどの保護部材を対角線状に引っ掛ければ使用時に植栽容器１内から土壌や植物が零れ落ちることを防止することができる。なお、係る技術的効果は壁面緑化設備において、特に顕著な効果を示すものとなる。
【００２０】
本発明の請求項５に係る植栽容器によれば、第一フランジ部、第二フランジ部を外周の全周に渡って環状（ドーナツ状）に形成することによって密閉性をより確保することができる。
【図面の簡単な説明】
【００２１】
【図１】本発明の一実施形態に係る植栽容器の正面図（図１（ａ）は固定部材の正面図、図１（ｂ）は容器本体の正面図）である。
【図２】図１の植栽容器の斜視図（図２（ａ）は固定部材の斜視図、図２（ｂ）は容器本体の斜視図）である。
【図３】図１の植栽容器の平面図（図３（ａ）は固定部材の平面図、図３（ｂ）は容器本体の平面図）である。
【図４】図１の植栽容器の係止部材の使用態様を示す模式図である。
【図５】図１の植栽容器を用いた空気清浄緑化装置の断面模式図である。
【図６】図１の植栽容器を図５の空気清浄緑化装置に取り付ける手順を示す模式図である。
【発明を実施するための形態】
【００２２】
本発明の実施形態を図面に基づいて説明する。なお、以下に述べる実施形態は本発明を具体化した一例に過ぎず、本発明の技術的範囲を限定するものでない。
図１は本発明の一実施形態に係る植栽容器の正面図（図１（ａ）は固定部材の正面図、図１（ｂ）は容器本体の正面図）であり、図２は図１の植栽容器の斜視図（図２（ａ）は固定部材の斜視図、図２（ｂ）は容器本体の斜視図）であり、図３は図１の植栽容器の平面図（図３（ａ）は固定部材の平面図、図３（ｂ）は容器本体の平面図）であり、図４は  図１の植栽容器の係止部材の使用態様を示す模式図であり、図５は図１の植栽容器を用いた空気清浄緑化装置の断面模式図である。
【００２３】
まず、本発明の植栽容器の基本構成を図１に基づいて説明する。本発明の植栽容器１は、カップ状の容器本体２とリング状の固定部材３を主要部材として構成されている。なお、本発明の植栽容器の材質は特に限定されるものではなく、各種の材料を用いることができるが、軽量で強度もあり、かつ製造が容易である点などから、プラスチックを用いることが好ましい。
次に、各構成要件について説明する。
【００２４】
（容器本体）
本発明に用いられる容器本体２は、図１（ｂ）、図２（ｂ）、図３（ｂ）に示すように、上端部に開口５を有するカップ状のものであり、上部４の外周６に第一フランジ部７を設けた構造となっている。このように上部４の外周６に第一フランジ部７を設けることによって、植栽容器１を緑化設備の本体部（筐体）に設置した際に、係る第一フランジ部７がいわゆる座金（ワッシャー）の役目を果たすことになり、緑化設備の本体部（筐体）との間に隙間を生じさせることなく植栽容器１を緑化設備の本体部（筐体）に設置することができるのである。
【００２５】
第一フランジ部７の形状、形態としては、座金（ワッシャー）の役目を果たすことができれば特に限定されるものではなく、各種の形状、形態を用いることができる。例えば、図１（ｂ）、図２（ｂ）、図３（ｂ）に示すように、容器本体２の上部４の外周６に水平方向に突設するように設けることができる。また、水平方向から少し傾斜を持たせて突設させた形状、形態とすれば、緑化設備の本体部（筐体）に容器本体２を設置して固定部材３を装着する際に掛かる力を利用することによって、第一フランジ部７を水平方向に変形させて緑化設備の本体部（筐体）に対する密着性を向上させることもできる。さらに、第一フランジ部７の形状、形態をいわゆるバネ座金や皿バネのようにバネ機構を持たせたものとすれば、固定部材３を装着する際に掛かる力をより効率的に利用して第一フランジ部７を水平方向に変形させて、緑化設備の本体部（筐体）との密着度をより向上させたものとすることもできる。
また、第一フランジ部７は、緑化設備の本体部（筐体）への密着性が確保されれば上部４の外周６の一部に設けるものでもよいが、容器本体２の緑化設備の本体部（筐体）への密着性をより向上させることができることから、図１（ｂ）、図２（ｂ）、図３（ｂ）に示すように、外周６の全周に渡って環状（ドーナツ状）に形成するように設けることが好ましい。
さらに、より密着性を向上させるために第一フランジ部７の本体部（筐体）との接触面８にシーリング材や粘着テープなどのシール部材を設けておくこともできる。
【００２６】
また、本発明に用いられる容器本体２は、上端部の外周６に後記する固定部材３を着脱自在に装着することによって使用するものとなる。ここで、第一フランジ部７よりも上方に位置する上部４の外周面９の形態としては固定部材３が着脱できるものであれば特に限定されるものではなく、各種の嵌合形態やあるいはいわゆるツイストキャップのような形態など、各種の形態とすることができるが、施工性（作業性）がよく、また、より緑化設備の本体部（筐体）との密着度をより向上させることができることから、固定部材３が装着される部位となる、第一フランジ部７よりも上方に位置する上部４の外周面９に雄ネジ１０を設けた形態とすることが好ましい。
【００２７】
さらに、本発明に用いられる容器本体２は側面に通気孔１１を設けることが好ましい。
具体的には、本発明の植栽容器１を平面緑化に用いるだけ（単に植栽ポットとして用いるだけ）であれば通気孔を設けることは必ずしも要しないが、壁面緑化に用いる場合や、植栽の発育促進や脱落防止のために緑化設備内において根を張らせる場合や、緑化に加えて空気清浄も行う緑化設備に用いる場合などには、容器本体２の側面に通気孔１１を設けることが好ましい。
なお、通気孔１１は、容器本体２の側面の一部に設けることも、側面の全部に設けることも、あるいは側面および底面の全部に設けることもできるが、緑化に加えて空気清浄も行う緑化設備に用いる場合には、空気の通過距離、すなわち植栽容器１を通じて取り込んだ空気の緑化設備内における通過距離を長くすることができ、空気の清浄効率をより向上させることができる点から、容器本体２の側周面１２に通気孔１１を設け、容器本体２の底面１３には通気孔１１を設けないようにすることが好ましい。
【００２８】
（固定部材）
本発明に用いられる固定部材３は、容器本体２の上端部の外周６に着脱自在に装着されるものである。また、本発明に用いられる固定部材３は、図１（ａ）、図２（ａ）、図３（ａ）に示すように、リング状のものであり、一方の端部１４の外周１５に第一フランジ部７に対向する第二フランジ部１６を設けた構造となっている。このように一方の端部１４の外周１５に第一フランジ部７に対向するように第二フランジ部１６を設けることによって、植栽容器１を本体部（筐体）に設置した際に、第二フランジ部１６が第一フランジ部７と共にいわゆる座金（ワッシャー）の役目を果たすことになり、緑化設備（図示せず）の本体部（筐体）との間に隙間を生じさせることなく植栽容器１を緑化設備の本体部（筐体）に設置することができるのである。
【００２９】
第二フランジ部１６の形状、形態についても、第一フランジ部７と同様に座金（ワッシャー）の役目を果たすことができれば特に限定されるものではなく、各種の形状、形態を用いることができる。例えば、図１（ａ）、図２（ａ）、図３（ａ）に示すように、固定部材３の一方の端部１４の外周１５に水平方向に突設するように設けることができる。また、第一フランジ部７と同様に水平方向から少し傾斜を持たせて突設する形状、形態とすることで、容器本体２に緑化設備の本体部（筐体）に設置して固定部材３を装着する際に掛かる力によって、第二フランジ部１６を水平方向に変形させて緑化設備の本体部（筐体）に密着させるようにすることもできる。さらに、第二フランジ部１６の形状、形態をいわゆるバネ座金や皿バネのようにバネ機構を持たせたものとすれば、固定部材３を装着する際に掛かる力をより効率的に利用して第二フランジ部１６を水平方向に変形させて、緑化設備の本体部（筐体）との密着度をより向上させたものとすることもできる。
【００３０】
また、第二フランジ部１６は、緑化設備の本体部（筐体）への密着性が確保されていれば、図１（ａ）、図２（ａ）、図３（ａ）に示すように固定部材３の一方の端部１４の外周１５の一部に設けるものでも、あるいは第一フランジ部７と同様に固定部材３の一方の端部１４の外周の全周に渡って環状に形成するように設けるものでも構わない。
さらに、第一フランジ部７と同様に、より密着性を向上させるために第一フランジ部７の本体部（筐体）との接触面１７にシーリング材や粘着テープなどのシール部材を設けておくこともできる。
【００３１】
また、本発明に用いられる固定部材３は、容器本体２の上端部の外周６に着脱自在に装着することによって使用するものとなる。ここで、固定部材３の内周面１８の形態としては固定部材３が着脱できるものであれば特に限定されるものではなく、嵌合形態やいわゆるツイストキャップのような形態など各種の形態とすることができるが、より緑化設備の本体部（筐体）との密着度を向上させることができることから、図２（ａ）、図３（ａ）に示すように固定部材３の内周面１８に上記の雄ネジ１０と螺合する雌ネジ１９を設けた形態とすることが好ましい。
【００３２】
（係止部材）
さらに、本発明に用いられる固定部材３は他方の端部２０（第二フランジ部１６を設けた一方の端部１４とは逆の端部）に係止部材２１を設けることが好ましい。係る係止部材２１は、図４に示すように、輪ゴム、ビニタイ、紐、金属線などの保護部材２２を対角線状に引っ掛けることによって、本発明の植栽容器１に植物２３を植えた際に植栽容器１内から土壌などが零れ落ちないように保護するために使われるものである。具体的には、まず植物２３を植栽ポットなどから取り出して植栽容器１内に植え替えて、次にその上にフェルトやネットなどの押え部材２４を被せた状態で保護部材２２を係止部材２１に対角線状に引っ掛けることで、植栽容器１内から土壌などが零れ落ちることを防止するものである。
なお、係止部材２１の形状、形態については特に限定されるものではなく、各種の形状、形態を用いることができるが、図１〜４に示すように固定部材３の他方の端部２０の外周に突設するように設けると保護部材２２が引っ掛け易くなり、施工性（作業性）を向上させることができるので好適である。
【００３３】
（空気清浄緑化装置）
本発明の植栽容器は、通常の平面緑化設備や壁面緑化設備に用いることはできることはもちろん、緑化に加えて土壌や基盤部に空気を通過させることによって空気の清浄も行う空気清浄緑化装置にも用いることができる。
このような空気清浄緑化装置２５としては、例えば図５に示すような構造が挙げられる。なお、図５に示す空気清浄緑化装置は壁面緑化に加えて空気の清浄も行うタイプのものであるが、平面緑化に加えて空気の清浄も行うタイプも同様である。
具体的には、必要に応じて浄化剤や土壌などを充填した植栽部２６と通気部２７を設けた本体部（筐体）２８と、通風手段２９と、本発明の植栽容器１を主要部品として構成されているものである。また、本体部（筐体）２８の正面には複数の挿入口３０を設けた構造となっており、係る挿入口３０に本発明の植栽容器１を設置する構造となっている。さらに、植栽部２６の上方には灌水を行うための灌水管３１が設けられていると共に、植栽部２６の下方には植栽部２６を通過した灌水を排出するための排水機構３２が設けられている構造となっている。
なお、本体部（筐体）２８の材質は特に限定されるものではなく、各種の材料を用いることができるが、軽量で強度もあり、かつ植栽容器１の設置数の増減を容易に行うことができる点、本体部（筐体）２８内に浄化剤や土壌が充填された場合においても軽量化を図りつつ、歪みや変形を有効に防止できる点などから、金属を用いて作製し、設置する植栽容器１の数に応じて挿入口３０を設けることが好ましい。
【００３４】
また、本発明の空気清浄緑化装置２５は、本体部（筐体）２８と植栽容器１との間の密閉性を確保する必要があることから、図５に示すとおり、挿入口３０の開口の大きさ（開口の直径）は、第一フランジ部７よりも上方に位置する容器本体２の上部４よりも大きく、かつ第一フランジ部７および第二フランジ部１６よりも小さいものである必要がある。より具体的には、図１〜５に示す植栽容器１および空気清浄緑化装置２５を例とすると、挿入口３０の開口の大きさは、第一フランジ部７よりも上方に位置する容器本体２の上部４（円筒部）の直径よりも大きく、かつ第一フランジ部７および第二フランジ部１６の外周によって形成される円周の直径よりも小さいものである必要があるということになる。
【００３５】
そして、本発明の植栽容器を空気清浄緑化装置に用いる場合には、容器本体２の通気孔１１は、［００２７］および図５に示すとおり、空気の通過距離を長くすることができ、空気の清浄効率をより向上させることができる点から、容器本体２の側周面１２に通気孔１１を設け、容器本体２の底面１３には通気孔１１を設けないようにすることが好ましい。
【００３６】
次に、上記のように構成された植栽容器１の動作および作用を図６に基づいて説明する。
図６は図１の植栽容器を図５の空気清浄緑化装置に取り付ける手順を示す模式図である。なお、図６においては、本発明の植栽容器を空気清浄緑化装置に用いる場合の手順を示したが、通常の平面緑化設備や壁面緑化設備においても同様の手順にて取り付けることができる。
【００３７】
まず、図６（ａ）に示すように、容器本体２を、本体部（筐体）２８の内側から挿入口３０に対して、第一フランジ部７よりも上方に位置する上部４の外周面９、すなわち雄ネジ１０が突出するように挿入する。
次に、図６（ｂ）に示すように、固定部材３の雌ネジ１９を、本体部（筐体）２８の外側から雄ネジ１０に螺合することによって、図６（ｃ）に示すように植栽容器１の本体部（筐体）２８への装着を完了する。
次に、図６（ｃ）に示すように植物２３を植栽ポットなどから取り出して植栽容器１内に植え込みを行う。
最後に、植物２３の植え込みを行った本体部（筐体）２８を、壁面など緑化を行いたい箇所に施工することで作業を完了する。なお、図６においては、植物２３の植え込みを行ってから本体部（筐体）２８の施工を行ったが、本体部（筐体）２８に植栽容器１の装着を完了した段階で、壁面など緑化を行いたい箇所に本体部（筐体）２８を施工し、その後に植物２３の植え込みを行うこともできる。
【００３８】
以上から、本発明の植栽容器は、第一フランジ部と第二フランジ部によって本体部（筐体）を挟み込むようにして本体部（筐体）に装着されることになることから、従前の緑化設備に比べて密閉性を確保する（使用時の空気漏れを防止する）ことができる緑化設備を得ることができることになる。
また、従前の植栽容器のようなビス孔やシール材等の加工を行うことなく密閉性を確保することができ、ビス孔やシール材の塗布などの現場での施工作業を省力化することができる。さらに、ビスやシール材の経年劣化による密閉性の低下の問題を解消することができる。
【００３９】
次に、本発明の植栽容器を用いた図５の空気清浄緑化装置２５の動作および作用を図５に基づいて説明する。
まず、通風手段２９を稼働することによって、通気部２７内の空気の排出を開始する。
そうすると、空気清浄緑化装置２５外の空気が、図５の実線の矢印のように、植栽容器１を通じて空気清浄緑化装置２５内（本体部（筐体）２８内）に取り込まれることになる。
ここで、［００３５］に記載のとおり、容器本体２には側周面１２にのみ通気孔１１が設けられていることから、植栽容器１を通じて空気清浄緑化装置２５内（本体部（筐体）２８内）に取り込まれた空気は、植栽部２６内において図５の実線の矢印のように、より長い距離を通過した後、通気部２７に抜けていくことになる。
なお、灌水については、植栽部２６の上方に設けられている灌水管３１から植栽部２６内に供給され、図５の点線の矢印のように、植栽容器１などを通過して植栽部２６の下方には設けられた排水機構３２から排出されることになる。
【００４０】
以上から、本発明の植栽容器を用いた本発明の空気清浄緑化装置は、密閉性を確保する（使用時の空気漏れを防止する）ことができるとともに、空気の通過距離を長くすることもできることから、従前の空気清浄緑化装置に比べて清浄効率を向上させることができることになる。
【産業上の利用可能性】
【００４１】
本発明の植栽容器は、緑化設備（特に、緑化に加えて空気の清浄も行う壁面緑化設備（空気清浄緑化装置））に用いることができる。
【符号の説明】
【００４２】
１    植栽容器
２    容器本体
３    固定部材
４    上部
５    開口
６    外周
７    第一フランジ部
８    接触面
９    外周面
１０  雄ネジ
１１  通気孔
１２  側周面
１３  底面
１４  一方の端部
１５  外周
１６  第二フランジ部
１７  接触面
１８  内周面
１９  雌ネジ
２０  他方の端部
２１  係止部材
２２  保護部材
２３  植物
２４  押え部材
２５  空気清浄緑化装置
２６  植栽部
２７  通気部
２８  本体部（筐体）
２９  通風手段
３０  挿入口
３１  灌水管
３２  排水機構

【図１】
0006764264.tif 000002
【図２】
0006764264.tif 000003
【図３】
0006764264.tif 000004
【図４】
0006764264.tif 000005
【図５】
0006764264.tif 000006
【図６】
0006764264.tif 000007